(57)【特許請求の範囲】
【請求項１】
器具本体の一部に多数の所要長さの可撓性ある線状体の一端部を固定し、その固定部分から他端までを自由に延出せしめ、前記線状体の２本を１組として各組ごとに先端部において相互に結節し、前記器具本体の周りに前記線状体による多数の異形の輪を形成した鳥類飛来防止具において、
前記の線状体が合成樹脂を素材として形成され、その内の半数を黄色に着色し、前記２本１組の線状体のうち１本を前記黄色に着色されたものを使用したことを特徴とする鳥類飛来防止具。
【発明の詳細な説明】
【技術分野】
【０００１】
この発明は、電柱等に取り付けてカラス等の鳥類の飛来・営巣等を防止する器具に関するものである。
【背景技術】
【０００２】
電柱や鉄塔にカラスが飛来したり営巣したりすることにより電気機器等に支障を来す事態や、カラスの糞が地上に撒き散らされる事態を防止するために、従来から電柱や鉄塔に鳥類飛来防止具を設置することが行われている。従来一般に用いられている鳥類飛来防止具には各種の構造のものがあるが、その中で鳥類が不規則に揺れる線状体や、線状体からなるループを忌避する性質を利用して飛来を防止するようにしたものがある（特許文献１）。
【０００３】
前記の鳥類飛来防止具は、基体上に透明、半透明の可撓性の線状体を起立させたもの、或いはこれをループに形成したもの、コイル状に巻いたものなどがある。これらの仕掛けは、透明・半透明であることにより鳥類には見え難いため飛来はするが、その仕掛けの近傍に止まったり近傍から飛び立ったりする際にその仕掛けが鳥類の足や羽に触れ、又は引っ掛けたりすることで危険性を意識せしめ、次第に警戒心を呼び起こして寄り付かなくなるようにしたものである。
【特許文献１】特開２００２−３４４３０号公報
【発明の開示】
【発明が解決しようとする課題】
【０００４】
前記の鳥類飛来防止具は、一応の効果は認められると考えられるが、透明、半透明の線状体を使用しているため、危険経験のない個体はそれに気がつかず飛来することがあり、確実な飛来予防効果が認められない問題がある。また、その仕掛けの形態によって危険経験のない個体に対しても幾分かの飛来防止効果があるとしても、仕掛けが線状体の単純なループやラインでは、大きな警戒感を呼び起こすことができず、次第に慣れて飛来防止効果が長持ちしなくなると考えられる。
【０００５】
そこで、この発明は、仕掛けの異形性によって警戒感を呼び起こすことはもとより、接近・接触した鳥類に大きな危険経験を与え、飛来防止効果を長期にわたり発揮できるようにすることを課題とする。
【課題を解決するための手段】
【０００６】
前記の課題を解決するために、この発明は、器具本体の一部に多数の所要長さの可撓性ある線状体の一端部を固定し、その固定部分から他端までを自由に延出せしめ、前記線状体の２本を１組として各組ごとに先端部において相互に結節し、前記器具本体の周りに前記線状体による多数の異形の輪を形成した鳥類飛来防止具において、前記の線状体が合成樹脂を素材として形成され、その内の半数を黄色に着色し、前記２本１組の線状体のうち１本を前記黄色に着色されたものを使用したものである。
【０００７】
前記の線状体は、素材自体に癖の無い場合は自由に延びその自重で撓むが、コイリングの癖などが残っている場合は、複雑な曲線をもって延び、かつその自重で撓む。このような線状体を先端部分で結節すると１つの輪が形成されるが、１本の線状体で作る輪ではなく、２本の線状体の先端部を結節して輪を作るようにしているので、単純な円形の輪ではなく異形の輪となる。輪の大きさは、おおよそカラスの１本の足が自由に入る程度に設定される。
【０００８】
このような異形の輪が器具本体の周りに所要数形成され、風等の影響でランダムに動くのでカラス等の鳥類に強い警戒感を呼び起こしその飛来を防止する。また、仮に、その近辺に止まる個体があったとしても、足の爪等が絡まり易いので、一層警戒感を呼び起こすことができる。
【０００９】
前記の結節を、２本の線状体を長さ方向に並べて結束一体化することにより、２本の線状体は固定端で相互に接近しているが自由端側に至るに従い次第に広がるとともに、途中で撓んだり素材の癖で湾曲したりし、さらに、先端の結節部分で相寄形状となるので、著しく歪んだ異形の輪となる。
【００１０】
前記２本１組の線状体のうち１本を前記黄色に着色されたものを使用すれば、黄色の線状体が混じっていることによる飛来防止効果が上がる理由の説明は困難であるが、実験の結果同一色のものを用いる場合より飛来防止効果が認められた。さらに、２本の線状体の結節部分から先に延びた自由端部の長さに差を持たせる構成を採ると、長さを揃えた場合より飛来防止効果が高いことも認められた。
【００１１】
また、１つの輪を形成する２本の線状体のうち１本の線状体が他の１つの輪を通して他の線状体と結節された構成をとると、一層輪の異形性が増大し、飛来防止効果を上げることができる。
【発明の効果】
【００１２】
以上のように、この発明の鳥類飛来防止具は、２本１組の線状体によって異形の輪を形成し、２本１組の線状体のうち１本を前記黄色に着色されたものを使用したので、黄色の線状体が混じっていることにより鳥類に大きな警戒感を呼び起こすことで飛来防止効果を上げることができる。
【発明を実施するための最良の形態】
【００１３】
以下、この発明の実施形態を添付図面に基づいて説明する。図１（ａ）に示したように、実施形態の鳥類飛来防止具は、器具本体１の頂部に多数の合成樹脂（ポリカーボネート）の線状体２の一端を結び止め、溶着、接着等により接近して固定する。器具本体１は基板３の上面に３本の支柱４を真ん中のものは垂直に、両側のものは傾斜角をもって固定し、それらの各支柱の上端間に連結バー５を一体に設けたものである（特開平９−３２２６９７号公報参照）。器具本体１の高さは取り付け場所にもよるが、１０数ｃｍ〜２０ｃｍ程度であり、前記の線状体２の長さは３０ｃｍ〜４０ｃｍ程度である。線状体２の線径は１ｍｍ程度であり、可撓性を有し、素材によってはコイリングの癖が残ったものもある。
【００１４】
上記の線状体２を２本１組に整え、各組の線状体２の先端部分を引き寄せ結び輪６（図２（ａ）参照）を作ってその結び輪６に端部を通して引き結び、結節部７を形成する（図２（ｂ）参照）。結節部７に代えて図２（ｃ）に示したように、線状体２の先端部相互を加熱溶融させ溶着部９を設けて連結するようにしてもよい。
【００１５】
前記の結節部７又は溶着部９と２本の線状体２によって輪８が形成される。各線状体２の固定部分が相互に接近していること、先端部が引き揃えて結節又は溶着されていることから、輪８は単純な円形とはならず、両端部において鋭角状に尖った異形の輪となる。このような輪８が器具本体１の周りに多数複雑に重なり絡まりあって存在する。
【００１６】
線状体２の色は無色・有色を問わないが、全体の半数を黄色に着色したものを使用している。図１において、２本１組の線状体２のうち太線で表わしたものが黄色の線状体２、細線で表わしたのがその他の無色又は有色のものである。これらの太線及び細線は色彩の相違を示すための区分を示すものであり、線径に差があることを意味するものではない。図２の各図においては、黄色の着色を網点で表わしている。
【００１７】
結節部７から先の自由端部は、図２の各図に示したように、長さに差をもたせ、１本の線状体２が長く延び出すようにすることが望ましい。同じ長さに揃える場合に比べ飛来防止効果が上がることが確かめられた。１本の線状体２が長く延び出すことにより、一層異形性が増すためであると考えられる。
【００１８】
また、前記の輪８を形成する際、図１（ｂ）に示したように、１つの輪８を形成する２本の線状体２のうち１本の線状体２を他の１つの輪８を通して他の１本の線状体２と結節するようにしてもよい。このように構成すると、輪８相互が絡み合うことになる。また、図１（ｃ）に示したように２本１組の線状体２の先端部に結節部７を形成する以外に、その中間部においても結節部７’を形成し、２本の線状体２によって２つの輪８’、８’を形成するようにしてもよい。
【００１９】
前記のように、輪８相互を絡ませたり、中間部に結節部７’を設けた小さい輪８’を増やしたりすることにより、全体として複雑化し異形性が増す。
【００２０】
図３は前記の鳥類飛来防止具Aを電柱１０の腕木１１に固定した使用状態を示す。その他の用途として、鉄塔の一部に設置したり、鉄塔間の張られた地線に取り付けることができる。
【図面の簡単な説明】
【００２１】
【図１】（ａ）から（ｃ）実施形態の諸例を示す正面図
【図２】（a）（ｂ）実施形態の結節部の拡大図、（ｃ）結節部の他の例の拡大図
【図３】同上の使用状態における正面図
【符号の説明】
【００２２】
１  器具本体
２  線状体
３  基板
４  支柱
５  連結バー
６  結び輪
７  結節部
８、８’  輪
９  溶着部
【図１】
0004570519.tif 000002
【図２】
0004570519.tif 000003
【図３】
0004570519.tif 000004